Podtech/llm-jp-corpus-v4-ja_patent huggingface dataset:
(57)【要約】【課題】製品の把手が製品の重心位置の鉛直線上に配置されていない場合においても、製品の持ち上げ、移動、運搬が容易になる事を可能にする把手を提供する事を目的とする。【解決手段】外形に円盤状の形状が設けられた把手を採用し、製品本体にはその円盤状の形状が固定されずに回転できるような取付構造を採用した。【選択図】  図２
2004336434.tif 000002
【特許請求の範囲】
【請求項１】
把手を有する製品において、その製品を持ち上げた際に自動的に重心バランスをとる機能を有する事を特徴とした把手。
【請求項２】
請求項１において、製品と完全固定されていない事を特徴とした把手。
【請求項３】
請求項２において、円盤状の形状を有し、製品に取付けた状態においてそれ自身が製品に対し回転できる事を特徴とした把手。
【発明の詳細な説明】
【０００１】
【発明の属する技術分野】
本発明は把手に関する。
【０００２】
【従来の技術】
近年、製品の少数多様化に伴い、筐体が同じで中身が違う等といった製品が増えている。例えば製品の基本性能が同じで多少の仕様違いで同じ筐体を使用する場合や、筐体以外の中身であるシャーシや構成部品を販売市場の地域性に合わせたものを採用する場合等である。
【０００３】
このような場合、筐体は同じであるのにその製品の重心位置がそれぞれ違う為に、製品に付いている把手が製品の重心位置の鉛直線上に配置されていないという現象が起こる。一般的に把手は製品の重心位置の鉛直線上に配置されており、製品を持ち上げる際に製品が傾くという事はない。
【０００４】
しかし把手が製品の重心位置の鉛直線上に配置されていない場合、製品が傾き、それに伴い把手も傾く為に持ちにくいという欠点がある。また製品の傾きによっては手を滑らせて製品を落としてしまうといった課題がある。このような課題に対する対策として、把手の中で手の掛かる場所にリブを設ける事により滑りを防止する方法が提案されている。（例えば特許文献１参照）。
【０００５】
しかしながら、この方法では把手が製品の重心位置の鉛直線上に配置されていない場合の持ちにくいという課題については何ら解決されていない。
【０００６】
【特許文献１】
特開平０８−２０５０５１号公報（第３頁、第２図）
【０００７】
【発明が解決しようとする課題】
本発明は製品の把手が製品の重心位置の鉛直線上に配置されていない場合においても、製品の持ち上げ、移動、運搬が容易になる事を可能にする把手を提供するものである。
【０００８】
【課題を解決するための手段】
前記課題を解決するための手段として本発明は、外形に円盤状の形状が設けられた把手を採用し、製品本体にはその円盤状の形状が固定されずに回転できるような取付構造を採用した。
【０００９】
【発明の実施の形態】
本発明は、外形に円盤状の形状が設けられた把手を採用し、製品本体にはその円盤状の形状が固定されずに回転できるような取付構造を採用している。把手を製品本体に取付けた状態で、製品本体と把手の動きはそれぞれ独立している。
【００１０】
以下、本発明の実施の形態について、図１から図６を用いて説明する。
【００１１】
（実施の形態）
図１は、製品本体に本発明の把手を取付けた状態の外観図である。図１において１は製品本体、２は本発明の把手である。図２は把手２の正面図及び側面図である。
【００１２】
図２において３は円盤、４はツバ、５は手挿入部である。図３は製品本体に設けられた把手取付部の構造図及び縦中央断面図である。この構造は製品本体１の内側に構成されている。図３において６は把手取付部、７はツバ挿入部、８はリブ、９は外壁である。
【００１３】
図４はバネ板である。図４において１０はバネ板、１１はバネ板（上）、１２はバネ板（下）である。図５は把手取付部６にバネ板１０を取付けた状態図である。バネ板１０は把手取付部６のツバ挿入部７にバネ板（下）１２部分が固定されている。
【００１４】
例えば接着剤等で固定した場合のように、完全に固定でき尚且つ固定部分に凸がなければ固定方法は何でも良い。図６は把手取付部６に把手２を取付けた状態の側面断面図である。
【００１５】
以上のように構成された把手について、以下その動作について説明する。把手２は製品本体１の内側に設けられている把手取付部６に取付けられる。まず把手２のツバ４を把手取付部６のツバ挿入部７に位置を合わせる。その際に把手２の手挿入部５の先端が右上もしくは左上になる様に位置を合わせる。
【００１６】
ツバ挿入部７にはあらかじめバネ板１０が固定されているが、把手２をそのまま奥に押し込んでいくとバネ板（上）１１が押されていきバネ板１０が変形をしていく。把手２を十分に押し込んだあとに、把手２を回転させる。その際に把手２の手挿入部５の先端が上方向を向く様に回転させる。
【００１７】
把手２のツバ４がリブ８と外壁９に挟まれる格好になるとバネ板（上）１１を押すものが無くなる為、バネ板１０はそのバネ性により形状が元に戻る。これにより把手２は把手取付部６からは外れなくなり、回転方向にだけ動く事が可能となる。また手挿入部５が上方向を向いているので持上げる際にはしっかりと握る事が出きる。
【００１８】
以上の状態で製品の重心位置の鉛直線上に把手２が配置されていない製品を持ち上げた場合、重心位置がずれている為に製品は回転しようとするが、把手２と製品本体１の動きが独立している為に、把手２だけそのままの状態を保持し製品本体１だけ回転する。
【００１９】
製品本体１は重心バランスの取れた位置で回転が止まる。把手２はそのままの状態を保持している為、持ち易さが悪くなるという事はなく、手を滑らせる様な状態になる事もない。
【００２０】
【発明の効果】
以上のように本発明によれば、製品の把手が製品の重心位置の鉛直線上に配置されていない場合においても、製品の持ち上げ、移動、運搬が容易になり、尚且つ手を滑らすなどの危険性がなくなるものである。
【図面の簡単な説明】
【図１】製品本体に本発明の把手を取付けた状態の外観図
【図２】本発明の把手の正面図及び側面図
【図３】製品本体に設けられた把手取付部の構造図及び縦中央断面図
【図４】バネ板の構成図
【図５】把手取付部にバネ板を取付けた状態図
【図６】把手取付部６に把手２を取付けた状態の側面断面図
【符号の説明】
１  製品本体
２  把手
３  円盤
４  ツバ
５  手挿入部
６  把手取付部
７  ツバ挿入部
８  リブ
９  外壁
１０  バネ板
１１  バネ板（上）
１２  バネ板（下）
【図１】
2004336434.tif 000003
【図２】
2004336434.tif 000004
【図３】
2004336434.tif 000005
【図４】
2004336434.tif 000006
【図５】
2004336434.tif 000007
【図６】
2004336434.tif 000008
(57)【要約】【課題】液晶テレビやプラズマテレビ等の薄型テレビの収納式把手において、樹脂成形品の筐体では、筐体に白化や割れ、破損が発生するため、把手取付部に掛かる衝撃や過重を受け止めることが出来ない。そのため把手取付部に掛かる衝撃や荷重を受け止めるための金属の補強部品を取付ける必要がある。樹脂成形品で筐体が形成される薄型テレビの収納式把手において、補強金具を追加することなく強度を保証する把手装置を提供する。【解決手段】筐体内部にあるシャーシ７のシールド５の上部左右に把手用開孔５Ａを設けて、そこにコの字状の把手６を嵌着して、薄型テレビ１を持ち運ぶ時に把手掛かる重量を、該シールド５にて受け止める構造の把手装置としている。【選択図】  図２
2004336435.tif 000002
【特許請求の範囲】
【請求項１】
液晶テレビやプラズマテレビ等の薄型映像機器において、収納式としたことを特徴とする把手装置。
【請求項２】
請求項１において、映像機器内部の金属製シールドの切り欠きに把手を嵌め込み、シールドの上部折り曲げ部を把手を引き出した時のストッパーとして把手を保持する構造を特徴とする把手装置。
【請求項３】
請求項２記載の金属製シールドが液晶パネルやプラズマディスプレイパネル等の映像表示デバイスに直接固定されていることを特徴とする把手装置。
【請求項４】
請求項１、請求項２及び請求項３に記載の把手装置を有し、該筐体に樹脂成形品を使用している事を特徴とした映像機器。
【発明の詳細な説明】
【０００１】
【発明の属する技術分野】
本発明は映像機器の把手装置に関する。
【０００２】
【従来の技術】
従来、映像機器の把手装置において、  金属筐体に切り欠き及び切り起しを付けて、金属の軸にて樹脂成形品の把手を取付けることにより、重量物である映像機器を持ち運ぶ際に把手取付部にかかる負荷を金属筐体にて受けていた（例えば特許文献１参照。）。
【０００３】
【特許文献１】
特開２００２−１０７８１６号公報（第７−８頁、第８図）
【０００４】
【発明が解決しようとする課題】
しかしながら従来の金属筐体に切り欠き及び切り起しを付けて、金属の軸にて樹脂成形品の把手を取付けることにより、重量物である映像機器を持ち運ぶ際に把手取付部にかかる負荷を金属筐体にて受ける構造の把手装置では、近年出荷台数が増えている液晶テレビやプラズマテレビなどの樹脂成形品にて外装筐体を形成する薄型テレビにおいては、外装筐体が樹脂成形品である為、金属の補強部品を追加しない限りその構造を採用することは出来ず、特に収納式の把手装置を採用する場合には引き上げ時の衝撃や把手取付部に掛かる荷重を樹脂成形品の筐体では白化や割れ・破損が発生し受け止めることが出来ない。そのため把手取付部に掛かる衝撃や機器の重量を受け止めるための金属の補強部品を取付ける必要がある。
【０００５】
本発明は、樹脂成形品で筐体が形成される薄型テレビの収納式把手の強度を確保することを目的とする。
【０００６】
【課題を解決するための手段】
前記課題を解決するための手段として本発明は、筐体内部にあるシャーシのシールド金具の上部左右に切り欠きを設けて、そこにコの字状の把手を嵌着して、薄型テレビを持ち運ぶ時に把手に掛かる重量を、該シールド金具にて受け止める構造の把手装置としている。
【０００７】
【発明の実施の形態】
本発明は、薄型テレビの筐体内部にあるシャーシのシールド金具の上部左右に切り欠きを設けて、そこにコの字状の把手を嵌着して、薄型テレビを持ち運ぶ時に把手掛かる重量を、該シールド金具にて受け止める構造の把手装置とすることにより、樹脂成形品による筐体を使用する薄型テレビにおいて、補強の為の金属部品を追加すること無く、安全、確実に薄型テレビを持ち運ぶことが出来る。
【０００８】
以下、本発明の実施の形態の収納式把手装置について、図面を参照しながら詳細に説明する。
【０００９】
（実施の形態）
図１は本発明の液晶テレビを背面方向から見た斜視図、図２は図１においてバックカバーを取り外した状態の斜視図、図３は図２の把手取付部の要部拡大図、図４はバックカバーの把手取付部の拡大図、図５は把手の図である。
【００１０】
図１、図２、図３、図４、図５において、符号１は液晶テレビ、２はキャビネット、３はバックカバー、３Ａはガイドリブ、３Ｂは把手用切り欠き、４は液晶パネル、５はシールド、５Ａは把手用開孔（切り欠き）、５Ｂは把手ストッパー、５Ｃはビス止め部、６は把手、６Ａはストッパー、７はシャーシ、８はビスを示す。以上のように構成された収納式把手装置について、以下その構成について、説明する。
【００１１】
本発明における液晶テレビ１の概略構造以下のとおりである。前面筐体である樹脂成形品のキャビネット２に液晶パネル４を取付け、液晶パネル４の背面にビス８にてシャーシ７とシャーシ７を覆う金属シールド５が取付けられた後、後面筐体である樹脂成形品のバックカバー３を取付けた構造である。該シールド上部に中心線対称の位置に逆Ｔ字状の把手用開孔５Ａを設け、該把手用開孔５Ａに把手６の逆Ｔ字状のストッパー６Ａ部を挿入して嵌着する。
【００１２】
把手６を引き上げた時把手６のストッパー６Ａが前述のシールド５の把手ストッパー５Ｂに当たり、液晶テレビ１を持ち運ぶ時に把手６に掛かる荷重を把手ストッパー５Ｂ部で受け止める。また、シールド５の把手用開孔５Ａの上部は液晶パネル４の背面と平行になるように更にＬ時に折り曲げられており、ビス止め部５Ｃを形成してビス８により前面筐体であるキャビネット２に固定されている。
【００１３】
ここで前述したように、液晶テレビ１を把手６を持って持ち運ぶ際に掛かる荷重を受け止めるシールド５はビス８により、液晶テレビ１の重量の大部分を占める液晶パネル４に取付けられているため、把手６を持って液晶テレビ１を持ち運ぶ際に、直接液晶パネル４を持つ形となる。
【００１４】
次に、後面筐体であるバックカバー３にはシールド５の把手用開孔５Ａを覆う部分に把手用開孔５Ａを塞ぐようにガイドリブ３Ａが設けられ、把手６の後方への逃げを規制している。また、把手６の引き上げ・収納時のガイドはバックカバー３の把手用切り欠き３Ｂの側壁にて行う構造となっている。
【００１５】
【発明の効果】
以上のように本発明によれば、樹脂成形品による筐体を使用する薄型テレビにおいて、持ち運びのための把手取付部に補強の為の金属部品を追加すること無く、安全、確実に薄型テレビを持ち運ぶことが出来る。
【図面の簡単な説明】
【図１】本発明の実施の形態の液晶テレビを背面方向から見た斜視図
【図２】図１においてバックカバーを取り外した状態の斜視図
【図３】図２の把手取付部の要部拡大図
【図４】バックカバーの把手取付部の拡大図
【図５】把手の図
【符号の説明】
１    液晶テレビ
２    キャビネット
３    バックカバー
３Ａ  ガイドリブ
３Ｂ  把手用切り欠き
４    液晶パネル
５    シールド
５Ａ  把手用開孔（切り欠き）
５Ｂ  把手ストッパー
５Ｃ  ビス止め部
６    把手
６Ａ  ストッパー
７    シャーシ
８    ビス
【図１】
2004336435.tif 000003
【図２】
2004336435.tif 000004
【図３】
2004336435.tif 000005
【図４】
2004336435.tif 000006
【図５】
2004336435.tif 000007
(57)【要約】【課題】公衆電気通信回線は利用者である加入者線までにさまざまな配線過程を経て利用者宅まで配線されており、その通信回線上の伝送損失（以下、伝送損失）も区々に異なっているため、パソコン通信を利用するユーザに対してＡＤＳＬ（非対称加入者線）（以下、ＡＤＳＬ）の提供サービスエリア等に一部提供できないなど制約が出ている。【解決手段】これらの区々な伝送損失状況にある加入者線から、伝送損失している低周波帯域の波形を整え（図▲１▼部分）、増幅してやる（図▲２▼部分）ことにより、パソコンのダウンロードのスピードを上げるとともに、ＡＤＳＬ利用希望者に対し、通信回線上の伝送損失のためにＡＤＳＬサービスを提供できなかったエリアにもそのサービスを拡大できることとなる。また、伝送損失による影響が大きかった既存のＡＤＳＬ利用ユーザのパソコン通信によるダウンロードの高速化にも寄与できる。【選択図】  図１
2004336156.tif 000002
【特許請求の範囲】
【請求項１】
ＡＤＳＬ（非対称加入者線）（以下、ＡＤＳＬ）のモデムに内臓もしくはモデムの前に周波数増幅回路を設置することにより、通信回線上の伝送損失（以下、伝送損失）により減衰した低周波帯域を再生増幅させる回路。
【発明の詳細な説明】
【０００１】
【発明の属する技術分野】パソコン通信におけるＡＤＳＬ利用希望者に対して、伝送損失のためＡＤＳＬサービス提供が得られないエリアの拡大やサービス提供エリアであっても十分な伝送速度を確保できない既ＡＤＳＬ利用者への、パソコン通信ダウンロードの高速化に関する。
【０００２】
【従来の技術】電子図書館を参照したが、このような発想は見あたらなかった。
【０００３】
【発明が解決しようとする課題】公衆電気通信回線は利用者である加入者線までにさまざまな配線過程を経て利用者宅まで配線されており、その伝送損失も区々に異なっているため、パソコン通信上ＡＤＳＬの提供サービスエリア等に一部提供できないなど制約が出ている。
【０００４】
【課題を解決するための手段】公衆電話電気通信回線におけるＡＤＳＬは線路距離が一定距離以上になる場合や、線路配線上の芯線の抵抗により低周波帯域の減衰が生じるが、伝送損失による低周波帯域の減衰を再生増幅させることにより、課題を解決させようとするものである。
【０００５】
【発明の実施の形態】ＡＤＳＬ低周波増幅回路は図１においてスプリッターから送られた低周波を整え（図▲１▼部分）、次に増幅させ（図▲２▼部分）、モデムへ送り出そうとする回路である。
【０００６】
【発明の効果】これらの区々な状況にある加入者線から、伝送損失している低周波帯域の波形を整え、増幅してやることにより、既存のＡＤＳＬ利用ユーザでパソコンのダウンロードのスピードが十分得られなかったユーザは、より高速化したダウンロードが可能となるとともに、ＡＤＳＬの利用希望があるが、伝送損失のためにサービス提供できなかったエリアにもそのサービス拡大が可能となる。
【図面の簡単な説明】
【図１】スプリッターから受けた低周波の波形を整え、増幅し、モデムへ送る回路である。
【図１】
2004336156.tif 000003
(57)【要約】【課題】画像品質を向上させることができる原稿読み取り装置を提供する。【解決手段】読み取り動作時の原稿後端の振動を抑えるためのガイド部材（第１、第２シート１２、１３）を配置する密着イメージセンサ１を用いた原稿読み取り装置において、ガイド部材を黒色かつ導電性の材料で構成した。【選択図】        図１
2004336133.tif 000002
【特許請求の範囲】
【請求項１】
読み取り動作時の原稿後端の振動を抑えるためのガイド部材を配置する密着イメージセンサを用いた原稿読み取り装置において、ガイド部材の色を黒色としたことを特徴とする原稿読み取り装置。
【請求項２】
読み取り動作時の原稿後端の振動を抑えるためのガイド部材を配置する密着イメージセンサを用いた原稿読み取り装置において、ガイド部材を導電性の材料で構成したことを特徴とする原稿読み取り装置。
【請求項３】
読み取り動作時の原稿後端の振動を抑えるためのガイド部材を配置する密着イメージセンサを用いた原稿読み取り装置において、ガイド部材を黒色かつ導電性の材料で構成したことを特徴とする原稿読み取り装置。
【発明の詳細な説明】
【０００１】
【発明の属する技術分野】
本発明は、読み取り動作時の原稿後端の振動を抑えるためのガイド部材を配置する密着イメージセンサを用いた原稿読み取り装置に関する。
【０００２】
【従来の技術】
密着イメージセンサを用いた原稿読み取り装置においては、読み取り動作時に密着イメージセンサを通過する原稿の後端の挙動を滑らかにするために、言い替えると原稿後端の振動を抑えるために、例えばシート材の組み合わせで構成されるガイド部材が密着イメージセンサに配置されている。
【０００３】
また、類似の技術として、原稿の位置情報を取得するために設けた検知手段がより正確に検知結果を出力できるように構成する特許文献１の「原稿搬送装置および原稿読取装置」が知られている。
【０００４】
【特許文献１】
特開２００１−２９４３４３号公報
【０００５】
【発明が解決しようとする課題】
しかし従来の原稿読み取り装置においては、ガイド部材を密着イメージセンサの光源上にかからないように配置しても、散乱してきた光がこのガイド部材表面で反射し、密着イメージセンサ内の読み取り部に達して画像上の不具合を引き起こす可能性がある。
【０００６】
また従来の原稿読み取り装置においては、原稿読み取り動作を連続して行うとガイド部材に静電気がたまり、この静電気が放電するときのノイズにより画像上の不具合が生じる。
【０００７】
本発明は、画像品質を向上させることができる原稿読み取り装置を提供することを目的とする。
【０００８】
【課題を解決するための手段】
上記目的を達成するために、請求項１記載の発明は、読み取り動作時の原稿後端の振動を抑えるためのガイド部材を配置する密着イメージセンサを用いた原稿読み取り装置において、ガイド部材の色を黒色とした原稿読み取り装置を最も主要な特徴とする。
【０００９】
請求項２記載の発明は、読み取り動作時の原稿後端の振動を抑えるためのガイド部材を配置する密着イメージセンサを用いた原稿読み取り装置において、ガイド部材を導電性の材料で構成した原稿読み取り装置を最も主要な特徴とする。
【００１０】
請求項３記載の発明は、読み取り動作時の原稿後端の振動を抑えるためのガイド部材を配置する密着イメージセンサを用いた原稿読み取り装置において、ガイド部材を黒色かつ導電性の材料で構成した原稿読み取り装置を最も主要な特徴とする。
【００１１】
【発明の実施の形態】
以下、本発明の実施の形態を図面に従って説明する。
図１は本発明の実施の形態に係る原稿読み取り装置の構成図である。本原稿読み取り装置は、密着イメージセンサ１と、その下流側の原稿排出ローラ対２とを備えている。
【００１２】
密着イメージセンサ１は、光源１１とガイド部材を有する。ガイド部材は、読み取り動作時に密着イメージセンサ１１を通過する原稿の後端の挙動を滑らかにするためのものであり、本実施形態では、第１シート１２と第２シート１３の組み合わせで構成されている。原稿と接触する第２シート１３がテーパー形状となっている。
【００１３】
第１シート１２と第２シート１３は、光源１１の光軸から外れて配置されている。また第１シート１２と第２シート１３は黒色であり、かつ導電性の材料で構成されている。ガイド部材としての第１シート１２と第２シート１３をこのように構成することで、散乱光、静電気両方双方が原因の画像上の不具合を防止することができる。
【００１４】
【発明の効果】
請求項１記載の発明によれば、ガイド部材を黒色とすることで、その表面の反射を低減し、散乱光による画像上の不具合を防止することができる。
【００１５】
請求項２記載の発明によれば、ガイド部材を導電性の材料にすることで、静電気が放電するときのノイズによる画像上の不具合を防止することができる。
【００１６】
請求項３記載の発明によれば、ガイド部材をを黒色かつ導電性の材料にすることで、散乱光、静電気双方が原因の画像上の不具合を防止することできる。
【図面の簡単な説明】
【図１】本発明の実施の形態に係る原稿読み取り装置の構成図である。
【符号の説明】
１  密着イメージセンサ
２  原稿排出ローラ対
１１  光源
１２  第１シート（ガイド部材構成要素）
１３  第２シート（ガイド部材構成要素）
【図１】
2004336133.tif 000003
(57)【要約】【課題】二つ折り携帯電話を簡単に開くことができるようにする。【解決手段】二つ折り携帯電話の、蝶つがい横側にはボタン７、内部には、ロックピン３と、ロック盤４と、スプリング５と、バネ６を取付け、バネ６の力で携帯電話を開くようにする。まず、ボタン７を押すと、ロックピン３が押され、ロック盤４の凹からロックピン３の、長い方の凸部が外れる、するとバネ６の開こうとする力によって、携帯が開く。また、携帯電話を閉めると、ロックピン３が、スプリング５に押されている為、ロック盤４の凹部に、ロックピン３の、長い方の凸部がはまり、固定され、携帯が閉まる。尚ロックピン３は、もう片側には、低い凸部があり、それは携帯電話の開け閉めする際、携帯電話の上部１の蝶つがい内部にある凹レールに噛み合わせる為のもので、ロックピン３と携帯電話の上部１は、同じ回転方向に連動する。【選択図】    図１
2004336674.tif 000002
【特許請求の範囲】
【請求項１】
ボタン１つで開く二つ折り携帯電話。
【発明の詳細な説明】
【０００１】
【発明の属する技術分野】
本発明は、二つ折りの携帯電話の蝶つがい内部に、バネとロックピンを取付け、それを蝶つがいの横側部分に取付けたボタンを押すと開くようにした携帯電話の蝶つがい部分に関するものである。
【０００２】
【従来の技術】
従来の二つ折り携帯電話は、使用する場合、両手を使い開けていた為、片手が塞がっている場合、開くのが困難で不便である。
【０００３】
【発明の実施の形態】
本発明は、発信時や着信時に、片手が塞がっている場合、携帯電話を開けるまでの時間が掛かり、着信時では、電話が切れてしまうことがあるので、それをボタン１つで開けられるようにしたものである。これを図面で説明すると、ボタン７を押すと、ロックピン３が押され、ロック盤４の凹からロックピン３の、長い方の凸部が外れる、するとバネ５の開こうとする力によって、携帯が開く。尚ロックピン３は、もう片側には、低い凸部があり、それは携帯電話の開け閉めする際、携帯電話の上部１の蝶つがい内部にある凹レールに噛み合わせる為のもので、ロックピン３と携帯電話の上部１は、同じ回転方向に連動するようになっている。
【０００４】
【発明の効果】
本発明により、片手にカバンや傘など、手荷物を持っていても、簡単に開けられ、着信時でも、切れる前に電話に出ることができ便利である。
【図面の簡単な説明】
【図１】携帯電話が閉まっている時の蝶つがいの断面図
【図２】携帯電話が開いている時の蝶つがいの断面図
【図３】ロックピンの立体図
【図４】ロック盤の正面図
【図５】携帯電話上部の蝶つがい▲１▼の断面図
【符号の説明】
１  携帯電話の上部
２  携帯電話の下部
３  ロックピン
４  ロック盤
５  スプリング
６  バネ
７  ボタン
【図１】
2004336674.tif 000003
【図２】
2004336674.tif 000004
【図３】
2004336674.tif 000005
【図４】
2004336674.tif 000006
【図５】
2004336674.tif 000007
(57)【要約】【課題】設置が容易でかつ発音と連動して効率的に発光する圧電素子を利用した発音装置を提供することを課題とする。【解決手段】金属板もしくは導電性シートの片面もしくは両面に圧電素子を貼り付けて二対以上の電極線を設け、一対は増幅器に、残りは発光体に接続する。増幅器からの音声信号の入力を受けると圧電素子が振動し、その振動を受けて発光体が起電して発光することによって、発音と連動して効率的に発光することができる。また発光体の電極線は全て圧電素子に接続されて発音装置内に収められるため、余分な電極線が外部に突出せず設置が容易になる。【選択図】  図１
2004336678.tif 000002
【特許請求の範囲】
【請求項１】
音源および増幅器からの音声信号を受けて振動する圧電素子を利用した発音装置であり、前記圧電素子に発光体が接続された少なくとも一対の電極線を設け、当該発光体は圧電素子の振動から起電した電力を利用して光ることにより、発音と連動して発光することを特徴とした発音装置。
【請求項２】
前記圧電素子は、金属板あるいは導電シートの片面に１枚もしくは両面に各１枚づつ貼り付けられ、少なくとも二対の電極線が設けられており、一対は増幅器と接続され、一対は発光体と接続されている請求項１記載の発音装置。
【請求項３】
前記圧電素子は平面体に貼付されもしくは筐体に収められており、圧電素子と接続された発光体は、平面上もしくは筐体の表面に突出している請求項１記載の発音装置。
【請求項４】
前記発光体は、圧電素子から一対もしくは複数対設けられた電極線上に少なくとも１つ以上取り付けられている請求項１記載の発音装置。
【請求項５】
前記平面体は紙もしくは布もしくはフィルムもしくは樹脂性のシートである請求項３記載の発音装置。
【請求項６】
前記発音装置は、ポスターもしくはＰＯＰなどの広告媒体であり、ワッペンもしくはラベルもしくはステッカーなどの識別体であり、ディスプレイもしくは人形もしくは写真立てなどの装飾品であり、警備に使用される警報装置である請求項１記載の発音装置。
【発明の詳細な説明】
【０００１】
【発明の属する技術分野】
本発明は圧電素子を利用した発音装置であって、発音とともに発光する発音装置に関する。
【０００２】
【従来の技術】
機械エネルギーと電気エネルギーを変換する性質をもった圧電素子自体を発音体として利用し、発音とともに発光する装置を作成する場合、音声信号が入力された増幅器から二対の電極線を設け、一対は発音用として圧電素子に接続され、もう一対は単独でＬＥＤなどの発光体に接続される構造になっている。しかしながらこの場合は、増幅器から二対の電極線が出るため、圧電素子を紙などに貼り付けたり、筐体に収めてスピーカとして利用する場合には、複数の電極線が邪魔になり、設置が容易ではなかった。
【０００３】
また圧電素子を用いた発音装置を作成する場合、音声信号を入力されて電気エネルギーを受けた圧電素子がそれを機械エネルギーに変えて、素子自体が振動して音となるが、他方で振動した圧電素子が生み出した電気エネルギーは使用されることなく無駄になっていた。
【０００４】
【発明が解決しようとする課題】
本発明はこのような事情に鑑みてなされたものであり、圧電素子の振動により生じた機械エネルギーを利用して発光体を発光させることにより、設置が容易でかつ効率的な発光と連動して発音する装置を提供することを課題とする。
【０００５】
【課題を解決するための手段】
かかる目的を達成するため、本発明では、金属板もしくは導電性シートの片面もしくは両面に圧電素子を貼り付けて二対以上の電極線を設け、一対は増幅器に、残りは発光体に接続し、増幅器からの音声信号の入力を受けると圧電素子が振動し、その振動を受けて発光体が起電して発光することによって、発光と連動して発音することを特徴とする装置を提供する。
【０００６】
【発明の実施の形態】
以下、図面を参照して本発明の実施の形態について説明する。図１は、本発明の一実施形態における発音装置の構成を示すブロック図である。
圧電素子１は、図のように金属板もしくは導電性シート２の片面に１枚貼り付けられる場合の他に、金属板もしくは導電性シート２の両面に１枚づつ貼り付けられる場合もある。また、電極線６は図のように増幅器７に接続される場合の他に、直接音源８に接続される場合もある。また、発光体４は図のように圧電素子１に接続した一対の電極線３に１つ取り付けられる場合の他に、一対の電極線３上に複数もしくは複数対の電極線３上に複数設置される場合もある。
【０００７】
音源８より増幅器７を通じて増幅された音声信号は、電極線６を通じて圧電素子１に伝送されると、圧電素子１の性質により受信された音声信号としての電気エネルギーが機械エネルギーに変換され、それが振動となって音源からの音波が圧電素子１を通じて発生する。
【０００８】
その際、圧電素子１が発生させた振動は、再び電気エネルギーに変換され、電極線３で接続された発光体４がその起電を受けて発光する。
従って、圧電素子１が貼り付けられたもしくは埋設された平面体もしくは筐体５全体が振動して発音するとともに、その表面に取付けられた発光体４が連動して発光する。
【０００９】
（実施例１）
上記記載のような発音装置が、ポスターやＰＯＰなどの平面状の広告媒体として利用される例を次に示す。ポスター用紙に圧電素子を貼り付けた金属板もしくは導電性シートを貼付し、そこに設けられた複数の電極線のうち一対を増幅器に、残りを発光体に接続する。発光体はポスターの表面上に突出するように取り付ける。また、ポスターの絵柄に沿って複数個取り付けることもできる。ポスター自体は壁やドアなどに貼付される場合が多いが、この場合も増幅器からの電極線は一対のみで、圧電素子と発光体を接続する電極線は全てポスター裏面に収まっている為、設置面とポスター間の空間を考慮することなく容易に取り付けられ、発音と連動して発光する効果的な広告媒体を提供することができる。
【００１０】
（実施例２）
上記記載のような発音装置が、警備に使用される警報装置として利用される例を次に示す。内部構造は上記広告媒体の場合と同様であるが、形状としては圧電素子および発光体が平面状のものに取り付けられる場合の他に、筐体に入れられる場合もある。筐体に入れられる場合には、その表面上で見えやすい場所に発光体が取り付けられる。発音と同時に発光する為、警報時に聴覚だけでなく視覚でも認知することが可能である。また、従来のような箱型だけではなく、平面状や装飾品のような複雑な形状のものも製作することができるので、警報装置と悟られることなく設置しておくことが可能である。
【００１１】
【発明の効果】
以上説明したように本発明によれば、増幅器からの電極線を発音のための一対に留め、発光のための電源を発音で生じた圧電素子自体の起電力から得ることによって、設置も容易でかつ省エネルギーを実現する発音装置を提供することができる。
【図面の簡単な説明】
【図１】本発明の発音装置の構成を示すブロック図である。
【符号の説明】
１  圧電素子
２  金属板もしくは導電性シート
３  （発光体に接続された）電極線
４  発光体
５  平面体もしくは筐体
６  （増幅器に接続された）電極線
７  増幅器
８  音源
【図１】
2004336678.tif 000003
(57)【要約】【課題】高速回転により発生する騒音を抑制するディスク装置を提供する。【解決手段】本体内部に収納された動作位置と外部に突出されたディスク着脱位置との間を変位可能に設けられているとともにディスク３が載置される載置部５ｂが形成されているトレー５を備えたディスク装置において、前記載置部５ｂを形成する内壁面５ｂ、５ｃ、５ｄ、５ｆに複数の突起状のリブ６を設け、ディスク３の回転に付随して発生する空気流がリブ６により渦が形成され、その渦がディフューザーの役割をなし消音化を可能とした。【選択図】　　図１
2004013925.tif 000002
【特許請求の範囲】
【請求項１】
本体内部に収納された動作位置と外部に突出されたディスク着脱位置との間を変位可能に設けられているとともにディスクが載置される載置部が形成されているトレーを備えたディスク装置において、前記載置部を形成する内壁面に複数の突起状のリブを設けたことを特徴とするディスク装置。
【発明の詳細な説明】
【０００１】
【発明の属する技術分野】
本発明は、ディスクの高速回転により発生する騒音を抑制するディスク装置に関する。
【０００２】
【従来の技術】
光ビームを用いて信号の読み取り動作を行うように構成されているディスク装置として、ＣＤ（コンパクトディスク）を使用するＣＤプレーヤが一般に普及している。据え置き型のＣＤプレーヤは、本体の前面にディスクを装着及び排出可能なトレーを配置するとともにトレーは所定の位置にＣＤを載置出来るように載置部が成形されている。
【０００３】
そして、本体の中央にはディスクを駆動するターンテーブルとディスクから信号の読み出し動作を行うピックアップが設けられている。
【０００４】
【発明が解決しようとする課題】
ところで、最近のディスク装置における信号の読み取り速度は、規定の速度だけではなく４０倍や４８倍速等の高速化に移行している。このような高速読み取り動作を行うためには、ディスクを高速回転させる必要があるが、ディスクの回転速度が増大するにつれ、空気は遠心力の作用で外周方向に集中し、そのときのディスク板間に発生する空気流が騒音となるという問題があった。
【０００５】
本発明は、この問題点の解決を図ったディスク装置を提供するものである。
【０００６】
【課題を解決するための手段】
本発明は、本体内部に収納された動作位置と外部に突出されたディスク着脱位置との間を変位可能に設けられているトレーに形成されているディスクの載置部を形成する内壁面に複数の突起状のリブを設けたものである。
【０００７】
【実施例】
図１は本発明の一実施例を示すディスク装置のトレーを排出した状態を示す斜視図、図２は図１におけるトレーを動作位置に挿入した状態を示す要部の側断面図である。
【０００８】
図において、１は鋼板製の本体、２は本体１の内部に設けられているとともにディスク３が着脱されるターンテーブルであり、前記本体１の内部に設けられているスピンドルモータ４により回転せしめられるように構成されている。
【０００９】
５は前記本体１より外部に突出したディスク着脱位置と本体１内に収納された動作位置との間を変位可能に設けられているとともにディスク３が載置される載置部５ａが形成されているトレーであり、前記載置部５ａを囲むように内壁面５ｂ、５ｃ、５ｄ、５ｅが分割配置されている。また、前記トレー５の前面に位置する内壁面５ｂと５ｃの間には空気を逃す逃し口５ｆが設けられているとともに後方の平面部にはディスクに記録された信号を読み取る光ピックアップ（図示せず）が読み取り動作を行うための開口部５ｇが形成されている。
【００１０】
６は前記内壁面５ｂ、５ｃ、５ｄ、５ｅに各々３個内周方向に突起して設けられているリブであり、ディスクの回転による遠心力の作用で外周方向に集中される高速な空気流を抑制させるものである。７は前記トレー５の前面に取り付けられている前面パネルであり、該前面パネル７の背面下方には前記逃し口５ｆと繋がるように形成されているとともに外部に空気流を流出する空気路を構成する流出口７ａが設けられている。
【００１１】
斯かる構成において、トレー５をディスク着脱位置より図２に示す動作位置まで変位させるとその変位動作に関連してターンテーブル２及びスピンドルモータ４が下方より図示した動作位置まで上昇変位し、ターンテーブル２上にディスク３が載置されるように構成されているが、斯かる構成は周知であるのでその説明は省略する。
【００１２】
ディスク３がスピンドルモータ４によりＡ方向に回転駆動されると、該ディスク３の回転に付随して空気流も同様にＡ方向に流れ、次第にディスク３の外周方向である内壁面５ｂ、５ｃ、５ｄ、５ｅに沿って空気が流れるが、該内壁面５ｂ、５ｃ、５ｄ、５ｅにはある間隔でリブ６を配置することによりディスク３の回転とともに空気流が各々の突起状のリブ６により渦が形成され、その渦がディフューザーの役割となり空気流を発散（打ち消す）させる作用が成されその結果、空気流は静音化しディスク３の上下両面近傍より矢印Ｂに示した通り逃し口５ｆに流れ込んだ後、前面パネル６の背面を通り流出口７ａを通して矢印Ｃに示す通り流れ出すこととなる。
【００１３】
【発明の効果】
以上に述べた如く、本発明は、本体内部に収納された動作位置と外部に突出されたディスク着脱位置との間を変位可能に設けられているとともにディスクが載置される載置部が形成されているトレーを備えたディスク装置において、前記載置部を形成する内壁面に複数の突起状のリブを設けたので、ディスクの高速回転に付随して発生した空気流を打ち消す作用を成すことにより空気流を抑制することが出来るので、高速回転による騒音対策には大きな効果を奏するものである。
【００１４】
また、この作用は高速回転になればなるほど打ち消す効率が高くなるので、これからの高速回転時代に入っているディスク装置に大して騒音を大きく抑える効果が期待できるものである。
【図面の簡単な説明】
【図１】本発明の一実施例を示すディスク装置のトレーを排出した状態を示す斜視図である。
【図２】図１におけるトレーを挿入した状態を示す要部の断面図である。
【符号の説明】
１　　　本体
３　　　ディスク
５　　　トレー
５ｂ　　　載置部
５ｃ　　　内壁面
５ｃ　　　内壁面
５ｄ　　　内壁面
５ｅ　　　内壁面
６　　　リブ
【図１】
2004013925.tif 000003
【図２】
2004013925.tif 000004
(57)【要約】【課題】葬儀社、お祝い会場運営会社のコマーシャルホームページをいかに多くの人にインターネットアクセスして見聞してもらうかである。【解決手段】インターネット利用者は葬儀社やお祝い会場運営会社のコマーシャルホームページを見ないと、お悔やみＥメールまたはお祝いＥメールを送信できない方法なので、必ずコマーシャルを見ることになる。また、お悔やみＥメールまたはお祝いＥメールを無料で送信でき、セレモニーの始まる直前の時間でも送信できるというメリットがあるので、葬儀社やお祝い会場運営会社のコマーシャルホームページには多数のアクセスが期待できる。各葬儀社、お祝い会場運営会社は自社のパソコンでお悔やみＥメールまたはお祝いＥメールを受信し、プリントオウトしたり、液晶プロジェクターなどで披露する。【選択図】　　　　図２
2004013293.tif 000002
【特許請求の範囲】
【請求項１】
インターネット利用者は葬儀社またはお祝い会場運営会社のコマーシャルホームページを見聞した後でないと、メール送信画面に移行できず、そこで初めてお悔やみＥメールまたはお祝いＥメールを送信できる。
【発明の詳細な説明】
【０００１】
【発明が属する技術分野】
本考案は、インターネット利用者がコマーシャルを必ず見聞するようにする方法に関するものである。
【０００２】
【従来の技術】
インターネットを開き、ホーページにアクセスし、コマーシャルホームぺージを見る頻度は興味のあるページには多くのアクセスがあるが、興味のないコマーシャルホームページには殆どアクセスされないのが現状である。特に葬儀社のホームページを見る頻度は極めて少なく、葬儀社はインターネットでは殆どアピールできない。お悔やみＥメール、お祝いＥメールは既にあるが、葬儀社または各お祝い会場運営会社のコマーシャルホームページとお悔やみＥメールまたはお祝いＥメールとは連動していない。そのため葬儀社またはお祝い会場運営会社のホームページはあまり見られていないのが現状である。
【０００３】
【発明が解決しようとする課題】
解決しようとする問題点は、多数のインターネット利用者に葬儀社やお祝い会場運営会社のコマーシャルホームページをいかに見てもらうかである。
【０００４】
【課題を解決するための手段】
本発明は、葬儀社やお祝い会場運営会社のコマーシャルホームページを見聞しないとお悔やみＥメールまたはお祝いＥメールを送信できない仕組みとすることで、コマーシャルを必ず見ることになる。一方、インターネット利用者はお悔やみＥメールまたはお祝いＥメールを無料で送信でき、またセレモニーの始まる直前の時間でも出せるというメリットがあるので、葬儀社またはお祝い会場運営会社のコマーシャルホームページ見聞の増加を充分見込める。
【０００５】
【発明の実施の形態】
インターネット利用者はお悔やみＥメールまたはお祝いＥメールを送信できる葬儀社またはお祝い会場運営会社のホームページの第１ページの表紙にアクセスし、お悔やみＥメールかお祝いＥメールかを選び、次いでインターネット利用者が目的とする都道府県各社のコマーシャルホームページを選び、コマーシャルをスライドショー、ビデオなどで見聞し、最終ページの最後部に設置した各社のＥメールアドレス宛てにお悔やみＥメールまたはお祝いＥメールを書き、送信する。各社は受信したお悔やみＥメールまたはお祝いＥメールをプリントオウトしたり、液晶プロジェクターなどを使用したりして、セレモニーの時に披露する。
【０００６】
【発明の効果】
以上説明したように本方法によって、コマーシャルホームページを掲載する葬儀社またはお祝い会場運営会社にとっては、お悔やみＥメールまたはお祝いＥメールを送信しようとする利用者は必ずコマーシャルホームページを見聞することになるというメリットがあり、一方利用者にとってはコマーシャルを見なければならないという面倒さはあるが、それにも増して無料で、しかもセレモニー直前でもお悔やみＥメールまたはお祝いＥメールが間に合うというメリットは非常に大きいので、葬儀社またはお祝い会場運営会社のコマーシャルホームぺージへの多数のアクセスが期待できる。
【図面の簡単な説明】
【図１】葬儀社またはお祝い会場運営会社の一覧表で使用者は目的の会社を選ぶ。
【図２】インターネット利用者は選んだ葬儀社またはお祝い会場運営会社のコマーシャルを見聞する。最終ページの最後尾に選んだ会社のメールアドレスにアクセスできる。
【図３】メールソフトにお悔やみＥメールならば喪主などに弔電文を、お祝いＥメールならば主催者などに祝電文を書きこみ、送信する
【図１】
2004013293.tif 000003
【図２】
2004013293.tif 000004
【図３】
2004013293.tif 000005
(57)【要約】　　　（修正有）【課題】ブラウザ情報を探索することでキオスク端末を占有することなく、探索は携帯電話で行い、キオスク端末では印刷に専念してもらうための簡便な印刷方法を提供すること。【解決手段】携帯電話で印刷したい情報をブラウザから選択するとコード番号が発行され、利用者はそのコード番号をキオスク端末に送信し、キオスク端末はブラウザからコード番号に該当する情報を呼び出して印刷する。【選択図】　　　　図１
2004013669.tif 000002
【特許請求の範囲】
【請求項１】
携帯電話でブラウザ検索して印刷したい画面を選択することでコード番号を登録発行して携帯電話にメモリーし、ブラウザ側ではそのコード番号に該当する印刷画像情報をメモリーしておき、使用者はキオスク端末の前に行き、携帯電話のメモリーから登録されたコード番号を呼び出し、キオスク端末に無線送信して知らせ、キオスク端末はそのコード番号に該当する印刷画像情報をブラウザから呼び出して印刷することを特徴とする印刷方法。
【請求項２】
携帯電話でブラウザ検索して印刷したい画面を選択することでコード番号を登録発行し、ブラウザ側ではそのコード番号に該当する印刷画像情報をメモリーしておき、使用者はキオスク端末の前に行き、コード番号をキー入力し、キオスク端末はそのコード番号に該当する印刷画像情報をブラウザから呼び出して印刷することを特徴とする印刷方法。
【発明の詳細な説明】
【０００１】
【発明の属する技術分野】
本発明は印刷方法に関するものである。
【０００２】
【従来の技術】
キオスク端末の前でブラウザ検索をするとその端末は一使用者に長時間占有されてしまう。これを解消するために、携帯電話でブラウザ検索して印刷しようとすると、いちいちキオスク端末の前でブラウザ検索して印刷したい画像を呼び出し、それをキオスク端末に伝えなくてはならないため面倒である。
【０００３】
【発明が解決しようとする課題】
キオスク端末の前でブラウザ検索をするとその端末は一使用者に長時間占有されてしまう。これを解消するために、携帯電話でブラウザ検索して印刷しようとすると、いちいちキオスク端末の前でブラウザ検索して印刷したい画像を呼び出し、それをキオスク端末に伝えなくてはならないため面倒である。それを簡便にする印刷方法である。また、携帯電話でブラウザ検索して印刷しようとした画面を携帯電話にいったんメモリーさせると、たとえ圧縮したり省略した画像であったとしても相当量の携帯電話のメモリーを占有してしまうため不便である。
【０００４】
本発明は上述の問題点に着目してなされたものであって、ブラウザ検索は携帯電話にまかせ、キオスク端末では印刷だけをしてもらうことで、効率よく利用してもらうことができ、これによって、ユーザーは簡便に印刷できるし、キオスク端末は印刷に専念できる印刷方法を提供することを目的とする。
【０００５】
【課題を解決するための手段】
本発明は上記課題を解決するために、以下（１）、（２）の構成を備えるものである。
【０００６】
（１）携帯電話でブラウザ検索して印刷したい画面を選択することでコード番号を登録発行して携帯電話にメモリーし、ブラウザ側ではそのコード番号に該当する印刷画像情報をメモリーしておき、使用者はキオスク端末の前に行き、携帯電話のメモリーから登録されたコード番号を呼び出し、キオスク端末に無線送信して知らせ、キオスク端末はそのコード番号に該当する印刷画像情報をブラウザから呼び出して印刷する印刷方法。
【０００７】
（２）携帯電話でブラウザ検索して印刷したい画面を選択することでコード番号を登録発行し、ブラウザ側ではそのコード番号に該当する印刷画像情報をメモリーしておき、使用者はキオスク端末の前に行き、コード番号をキー入力し、キオスク端末はそのコード番号に該当する印刷画像情報をブラウザから呼び出して印刷する印刷方法。
【０００８】
【作用】
該当するコード番号で印刷することを本人が了解しているかを確認するために、ユーザーＩＤを入力させることを同時に実行させることも有効である。ここにおいて、コード番号は数字やアルファベットの組み合わせ程度にすることで、携帯電話のメモリーを占有することがない。
【０００９】
【発明の実施の形態】
以下に本発明の実施の形態を実施例に基づいて図面を参照しながら説明する。
【００１０】
【実施例】
（図１の形態図は請求項１を説明する）
１．携帯電話１でブラウザ２を検索して印刷したい画面を選択▲１▼することでコード番号を登録発行▲２▼して携帯電話１にメモリーする。ブラウザ２ではそのコード番号に該当する印刷情報▲３▼をメモリーしておく。使用者はキオスク端末３の前に行き、携帯電話１のメモリーから登録されたコード番号を呼び出す。携帯電話１からキオスク端末３に無線送信▲４▼して知らせる。キオスク端末３はそのコード番号に該当する印刷情報▲３▼をブラウザ２から呼び出して▲５▼印刷情報を得て▲６▼印刷装置４で印刷する。
【００１１】
（図２の形態図は請求項２を説明する）
２．携帯電話１でブラウザ２を検索して印刷したい画面を選択▲１▼することでコード番号を登録発行▲２▼する。ブラウザ２ではそのコード番号に該当する印刷情報▲３▼をメモリーしておく。使用者はキオスク端末３の前に行きキオスク端末３でコード番号をキー入力▲４▼する。キオスク端末３はそのコード番号に該当する印刷情報▲３▼をブラウザ２から呼び出して▲５▼印刷情報を得て▲６▼印刷装置４で印刷する。
【００１２】
（図３のフローチャートは図１の形態図とともに請求項１を説明する一例である）
３．ステップ１で携帯電話１の操作パネルを操作して印刷したい情報を選択する。ステップ２でブラウザ２からコード番号が使用者に発行される。ステップ３でメモリーに保存する。ステップ４で、キオスク端末３の前で携帯電話１のメモリーからコード番号を呼び出す。ステップ５でキオスク端末３にコード番号を無線送信する。ステップ６でキオスク端末３はコード番号に該当する印刷情報をブラウザ２のメモリーから呼び出す。ステップ７でデータを印刷装置４で印刷する。ステップ８でデータ印刷にかかった料金を計算して携帯電話１に報知することも可能である。料金は携帯電話１の自動引き落としから自動引き落としできる。
【００１３】
【発明の効果】
この発明により、キオスク端末の前でブラウザ検索をすることで端末が一使用者に長時間占有されてしまうことが解消される。これを解消するために、携帯電話でブラウザ検索して印刷しようとすると、いちいちキオスク端末の前でブラウザ検索して印刷したい画像を呼び出し、それをキオスク端末に伝えなくてはならないため面倒であったが、それを簡便に印刷できる。また、携帯電話でブラウザ検索して印刷しようとした画面を携帯電話にいったんメモリーさせると、たとえ圧縮したり省略した画像であったとしても相当量の携帯電話のメモリーを占有してしまうため不便であったがそのような弊害もない。
【図面の簡単な説明】
【図１】本発明の請求項１を説明する形態図
【図２】本発明の請求項２を説明する形態図
【図３】本発明の請求項１を説明するフローチャート
【符号の説明】
１　携帯電話
２　ブラウザ
３　キオスク端末
４　キオスク端末印刷装置（印刷装置）
【図１】
2004013669.tif 000003
【図２】
2004013669.tif 000004
【図３】
2004013669.tif 000005
(57)【要約】【目的】コンピュータを内蔵したカバン【構成】カバン本体、組込型コンピュータ、表示装置、キーボード、電池および充電装置などで構成される。【選択図】　図１
2004013671.tif 000002
【特許請求の範囲】
【請求項１】
アタッシュケース、ショルダーバッグ、リュックなどのカバンの中にパーソナルコンピュータを内蔵・一体化させたもの
【発明の詳細な説明】
【０００１】
【発明が解決しようとする課題】
従来、ノートブック型のコンピュータを持ち運ぶ際に、専用カバンを利用したり、汎用性のあるカバンに入れたりしていたが、取りだしやセッティングに問題があったり、移動中に破損したりすることがあった。また、取り出した後のカバンの置き場所に困ることもあった。
【０００２】
【課題を解決するための手段】
そこで、カバンとコンピュータを一体化させたものを考案した。カバンの蓋の部分には表示装置（１）、コンピュータボード、外部装置との接続装置を配置し、カバン本体部分に、キーボード（２）、電池（３）などを収納・一体化した。表示装置などの取り付け部分は、カバンの形に応じて変更することが可能なようになっている。
【０００３】
【発明の効果】
たとえばアタッシュケースの場合、蓋を開ければそのまま利用でき、客先でのデモンストレーションや商談時にセッティングや中身・カバンの移動などでまごつくことがない。また、キーボード（２）の部分を持ち上げれば、通常の収納部分があり、カバンとしての利用は何ら妨げられることはない。また、セキュリティー面でも、パソコンを忘れることはあり得ない。その上、主要部分がカバンに固定されているため振動にも強く、移動時他の物に当たってこわれることもない。またファッション的にも、自分の好みに合わせてデザインを選べるので、個性的なコンピュータを演出できるようになる。従来型の大量生産のパソコンとは一線を画するコンピュータである。
【図面の簡単な説明】
【図１】全体の構成図である。
【符号の説明】
１　コンピュータの表示装置
２　キーボード
３　電池および充電器
４　カバン本体
【図１】
2004013671.tif 000003